(57)【要約】【課題】トラックの荷台に搭載して運搬する際に、又はクレーンなどで吊り上げる際に堅牢で、運搬し易い構成にした建屋式の精米設備を提供すること。【解決手段】箱体状の枠体からなる建屋１の内部に客室３と精米機器を備えた機械室４を設け、建屋１の屋根２４の左右両側に前後方向に延びる強度の高い上柱部２８に平板状の床部３６，３７と側壁部と屋根２４を組み付け、該上柱部２８の上面に吊上げ用のフック４４を前後方向に複数設け、上柱部２８の下面に運搬車の荷台固定用のフック４５を前後方向に複数設けた建屋式精米設備である。フック４５を上柱部２８の前端部と後端部に設けることで、運搬車の荷台にロープでしっかりと建屋式精米設備を固定でき、また運搬車にロープ掛けがし易い。また、上柱部２８の上面に吊上げ用のフック４４を仕切壁２の前後位置にそれぞれ設けることで、吊上げ時のバランスが良い。【選択図】図５
2017148722.tif 000002
【特許請求の範囲】
【請求項１】
柱（２６，２７など）に平板状の床部（３６，３７）と側壁部と屋根（２４）を組み付けて建屋（１）とし、
建屋（１）の内部を前側の客室（３）と後側の機械室（４）に仕切る仕切壁（２）を設け、
建屋（１）の屋根（２４）の左右両側に前後方向に延びる上柱部（２８）を設け、
上柱部（２８）の上面に吊上げ用のフック（４４）を前後方向に複数設け、
上柱部（２８）の下面に運搬車の荷台固定用のフック（４５）を前後方向に複数設ける
ことを特徴とする建屋式精米設備。
【請求項２】
運搬車の荷台固定用のフック（４５）を上柱部（２８）の前端部と後端部に設けることを特徴とする請求項１記載の建屋式精米設備。
【請求項３】
上柱部（２８）の上面に設けた複数の吊上げ用のフック（４４）を仕切壁（２）の前後位置にそれぞれ設けることを特徴とする請求項１又は２記載の建屋式精米設備。
【請求項４】
吊上げ用のフック（４４）又は荷台固定用のフック（４５）は建屋（１）に着脱自在とすることを特徴とする請求項１から３のいずれかに記載の建屋式精米設備。
【発明の詳細な説明】
【技術分野】
【０００１】
本発明は、自動運転による精米設備に係り、特に簡易な構成からなるコイン精米設備に関する。
【背景技術】
【０００２】
従来からコインを投入することで、自動的に精米を行うコイン精米設備が広く普及している。
【先行技術文献】
【特許文献】
【０００３】
【特許文献１】特許第４５２５４４５号
【発明の概要】
【発明が解決しようとする課題】
【０００４】
前記特許文献１に記載の建屋式の料金投入方式のコイン精米設備は、簡易な構成の建屋により、受入スペースの多様な使用によって幅広い態様に対応することが出来る軸組建屋によって構成されたものであるが、建屋をトラックの荷台に搭載して運搬する際に、建屋の堅牢度に改善の余地があり、運搬には細心の注意が必要であった。
【０００５】
そこで、本発明の課題は、トラックの荷台に搭載して運搬する際に、又はクレーンなどで吊り上げる際に堅牢で、運搬し易い構成にした建屋式の精米設備を提供することである。
【課題を解決するための手段】
【０００６】
本発明の上記課題は次の解決手段により解決される。  
請求項１記載の発明は、柱（２６，２７など）に平板状の床部（３６，３７）と側壁部と屋根（２４）を組み付けて建屋（１）とし、建屋（１）の内部を前側の客室（３）と後側の機械室（４）に仕切る仕切壁（２）を設け、建屋（１）の屋根（２４）の左右両側に前後方向に延びる上柱部（２８）を設け、上柱部（２８）の上面に吊上げ用のフック（４４）を前後方向に複数設け、上柱部（２８）の下面に運搬車の荷台固定用（輸送用）のフック（４５）を前後方向に複数設けることを特徴とする建屋式精米設備である。
【０００７】
請求項２記載の発明は、運搬車の荷台固定用（輸送用）のフック（４５）を上柱部（２８）の前端部と後端部に設けることを特徴とする請求項１記載の建屋式精米設備である。
請求項３記載の発明は、上柱部（２８）の上面に設けた複数の吊上げ用のフック（４４）を仕切壁（２）の前後位置にそれぞれ設けることを特徴とする請求項１又は２記載の建屋式精米設備である。
【０００８】
請求項４記載の発明は、吊上げ用のフック（４４）又は荷台固定用のフック（４５）は建屋（１）に着脱自在とすることを特徴とする請求項１から３のいずれかに記載の建屋式精米設備である。
【発明の効果】
【０００９】
請求項１記載の発明によれば、上柱部（２８）の上面に設けた複数の吊上げ用のフック（４４）と上柱部（２８）の下面に設けた複数の荷台固定用の（輸送用）フック（４５）があるので、精米設備の運搬がし易い。
【００１０】
請求項２記載の発明によれば、請求項１記載の発明の効果に加えて、荷台固定用のフック（４５）により運搬車の荷台にロープでしっかりと建屋式精米設備を固定でき、また運搬車にロープ掛けをし易い。
【００１１】
請求項３記載の発明によれば、請求項１又は２記載の発明の効果に加えて、吊上げ用のフック（４４）を仕切壁（２）の前後位置にそれぞれ設けることでクレーンなどで建屋式精米設備を吊上げ時のバランスが良い。
【００１２】
請求項４記載の発明によれば、請求項１から３のいずれかに記載の発明の効果に加えて、精米設備の目的の場所に設置の終了後に吊上げ用のフック（４４）又は荷台固定用のフック（４５）を取り外すことで、精米設備の外観が良好になる。
【図面の簡単な説明】
【００１３】
【図１】本発明の実施例の精米設備の正面から見た客室を示す建屋式の精米設備の正面図である。
【図２】図１の精米設備の内部を説明するための、屋根を取り払った状態の精米設備の平面図である。
【図３】図１の精米設備の各設備の作業工程を説明する図である。
【図４】図１の精米設備の建屋の正面図である。
【図５】図１の精米設備の建屋の側面図である。
【図６】図１の精米設備を建屋部分の一部上面図である。
【図７】図１の精米設備の後看板を外した建屋の背面図である。
【図８】図１の精米設備の建屋の上柱に取り付ける横看板の取付構成を示す部分側断面図である。
【図９】図１の精米設備の横看板用取り付けフレームを上柱と第二上柱に取り付ける取付部の部分斜視図である。
【図１０】図１の精米設備の建屋の柱構造を示す斜視図である。
【図１１】図１の精米設備の建屋の柱構造に客室扉と機械室扉などを取り付ける工程を示す斜視図である。
【図１２】図１の精米設備を側面から見た建屋の後部を示す建屋部分側面図である。
【図１３】図１の精米設備を背面から見た建屋を示す建屋部分背面図である。
【図１４】図１の精米設備を側面から見た建屋の柱部分に後看板を取り付ける工程を示す建屋部分側面図である。
【図１５】図１の精米設備の屋根の形状を示す斜視図である。
【発明を実施するための形態】
【００１４】
本発明の実施の形態の建屋式の精米設備について、以下説明する。
本実施の形態の精米設備では、図２に示すように、建屋１は、仕切壁２により、利用者が出入りする客室３と装置各部を配置する機械室４に仕切られている。
【００１５】
客室３側には、利用者が持参した玄米を機械室４側に配置された投入ホッパ５に投入する投入口を開閉する昇降式の開閉扉６と、利用者が精白度を選択する精白度選択スイッチ７と、料金投入口８と、釣銭返却口９と、精米運転の状況を表示する表示画面１０と、精米処理された精白米を収容する白米タンク１１を設ける。
【００１６】
図２又は図３に示すように、機械室４側には、投入ホッパ５内に投入された玄米を繰り出すロータリバルブ１２と、玄米に混じる石を除去する石抜機１３と、石抜きされた玄米を精米処理する精米機１４を備える。また、ロータリバルブ１２で繰り出された玄米を石抜機１３に供給する第一昇降機１５と、石抜機１３で石抜き処理された玄米を精米機１４に供給する第二昇降機１６を設ける。また、精米機１４で精米処理された精白米を収容する白米タンク１１を備えている。
【００１７】
次に建屋１の外観について説明する。 
図４又は図５に示すように、建屋１の正面には、利用者が客室３を出入りするための客室扉２１を設け、建屋１の側壁２２には管理者が機械室２を出入りするための機械室扉２３を設けている。建屋１の屋根２４（図７）は客室扉２１より前側に突出し、屋根２４の前端部は屋根２４よりも上方に延びる軒部２５（図１０）を形成し、軒部２５の前側は前看板Ｋ１を設ける。
【００１８】
図５に示すように、建屋１の側壁２２の上側には横看板Ｋ２を設け、屋根２４の後端部から設定距離離間する位置に後看板Ｋ３を設ける。後看板Ｋ３の下端部は屋根２４よりも下方に位置して後壁１９（図７）と対向し、後看板Ｋ３の上端は屋根２４よりも上方に位置する（図１２）。
【００１９】
屋根２４は図１５に示すように連続する凹凸状を折板状に形成し、その前端部を軒部２５の背面に接続し、その後端部は建屋１の後壁１９より後方まで延びている。そして、屋根２４の前端部から後端部に向かって後斜め下がり姿勢に構成している。
【００２０】
次に建屋１の柱構成について説明する。  
図４と図５と図１０に示すように、左右一対の前柱２６及び後柱２７を設け、前柱２６の上端部と後柱２７の上端部を前後方向に延びる左右一対の上柱２８でそれぞれ連結する。上柱２８は、前柱２６より前方に突出し、その前端部を軒部２５の背面に連結している。また、前柱２６の下端部と後柱２７の下端部を前後方向に延びる左右一対の下柱２９でそれぞれ連結する。
【００２１】
左右一対の上柱２８の中間部と下柱２９の中間部を一対の第一中間上下フレーム３０及び一対の第二中間上下フレーム３１の両端にそれぞれ連結する。左右の上柱２８の後端部同士を後左右フレーム２０で連結する。左右の上柱２８の中間部を第一中間左右フレーム３３と第二中間左右フレーム３４と第三中間左右フレーム３５の両端にそれぞれ連結する。また、一対の第一中間上下フレーム３０の上端と第一中間左右フレーム３３の両端をそれぞれ連結し、機械室４内の略前後方向の中間部を正面視で門構えに構成している。
【００２２】
第二中間上下フレーム３１の上端と第二中間左右フレーム３４の両端をそれぞれ連結し、正面視で門構えに構成し、仕切壁２の外周を支持する構成とする。また、第三中間左右フレーム３５の両端を前柱２６の上端に連結し、正面視で門構えに構成している。
【００２３】
図１０に示すように、一対の下柱２９の間には機械室床３６と客室床３７が配置される。また、第一中間上下フレーム３０と第二中間上下フレーム３１の間、及び第二中間上下フレーム３１と前柱２６の間等には補強フレームｈが取り付けられる。図１０に示す補強フレームｈ以外にも適宜の箇所に設けられるが、全ての補強フレームｈについての説明は省略する。
【００２４】
次に看板Ｋ１、Ｋ２、Ｋ３の取り付け構造について説明する。
前看板Ｋ１を取り付ける軒部２５は図１０に示すように平面視でコ型に形成され、軒部２５の左右後部分２５ａを前柱２６の前面に取り付ける構成である。軒部２５の前面部分２５ｂに前看板取付プレート４０を取りつける。本実施の形態の前看板Ｋ１は電飾看板であり、前看板取付プレート４０には電飾用の部材４１を取り付けている。前看板Ｋ１は軒部２５の左右幅略全体にわたって覆う構成とし、その上部をアーチ状に形成している。前看板取付プレート４０及び軒部２５の前面部分２５ｂも前看板Ｋ１の形状に沿う形状に形成している。
【００２５】
後看板Ｋ３は、左右の後柱２７からそれぞれ後方に突出する後看板取付プレート４２で支持されている。図６に示すように、後看板取付プレート４２は左右の後柱２７にそれぞれ取り付ける基部４２ａと、後方に突出する突出部４２ｂと、突出部４２ｂの後端から左右方向に延びる後看板取り付け部４２ｃで構成されている。
【００２６】
図５、図１２及び図１３に示すように、後看板Ｋ３の上端部は屋根２４より高い位置にあり、後看板Ｋ３の下端部は屋根２４より低い後壁１９と対向する位置にある。そして、後看板Ｋ３の背面と屋根２４の後端部は後看板取付プレート４２を介して互いに離間して対向する構成としている。後看板Ｋ３の左右方向は屋根２４と略同じ幅に形成している。
【００２７】
図１０に示すように、前柱２６と第一中間上下フレーム３０の間に亘って前後方向に延びる第二上柱５０を上柱２８の下部に取り付ける。また、図９に示すように、横看板Ｋ２を取り付ける横看板用取付フレーム５１を上柱２８の外側面と第二上柱５０の外側面に亘って、上柱２８と第二上柱５０を覆うように取り付けている。横看板Ｋ２の上端は上柱２８の上端面と面位置を略合わせている。
【００２８】
次に、フック４４、４５の取り付け構成について説明する。
吊上げ用フック４４（４４ａ、４４ｂ）を上柱２８の上面部に前後方向に複数取り付けている（図５参照）。本実施の形態では上柱２８に前後方向に２つ設けており、後吊上げ用フック４４ａを第一中間左右フレーム３３の隣接位置に設け、前吊上げ用フック４４ｂを第二中間左右フレーム３４と第三中間左右フレーム３５の間の位置に設けている。すなわち、機械室４の前後方向中間位置と、客室３の前後方向中間位置に吊上げ用フック４４ａ、４４ｂを設けており、建屋１の輸送時にトラックの荷台への積み下ろし時にクレーン等（図示せず）で吊り上げる際に前後バランスが良好であり、積み下ろし作業がし易い。
【００２９】
また、本実施の形態の固定用フック４５（４５ａ、４５ｂ）は前後方向に２つ設けており、前固定用フック４５ａは上柱２８の前端部の下面部に設け（図５参照）、後固定用フック４５ｂは上柱２８の後端部の下面部に設け（図５、図７参照）ている。
【００３０】
そのため、トラックの荷台（図示せず）に建屋１を搭載し、運搬するときに、ロープを固定用フック４５に掛けて前後から荷台に固定できるので、安全にトラックで運搬できる。また、図１４に示すように、固定用フック４５は締結具４６で着脱可能に構成することで、建屋１を目的まで運搬した後は固定用フック４５を外すことで、建屋の外観を良好にすることができる。
【００３１】
以下、本実施の形態の精米設備の建屋１の特徴について述べる。
屋根２４に降った雨水は、後傾斜姿勢の屋根２４に沿って、後方に流れる。そして、屋根２４の後端部から排出された雨水は、後看板Ｋ３又は後看板取付プレート４２に当接して、下方に落下排水される。
【００３２】
そのため、雨水を確実に落下排水することができ、建屋１に隣接する他の建屋や構造物に雨水がかかり難い。また、屋根２４の後端部は建屋１の後壁１９より後方に位置するため、後壁１９に雨水がかかり難くなり、後壁１９の腐食の進行をし難くすることができる。また、後壁１９に設けている換気扇５４（図７）に雨水がかかり難くすることができる。また、屋根２４の前端部は前看板Ｋ１を取り付ける軒部２５が屋根２４よりも上方に突出しているので屋根２４に降った雨水が客室３に出入りする利用者にかかるのを防止できる。
【００３３】
本実施の形態では前看板Ｋ１のみが電飾看板であるが、横看板Ｋ２と後看板Ｋ３を電飾看板にすることが可能である。
【符号の説明】
【００３４】
１  建屋
２  仕切壁
３  客室
４  機械室
１９  後壁
２１  客室扉
２２  側壁
２４  屋根
２５  軒部
２６  前柱
２７  後柱
２８  上柱
３６  機械室床
３７  客室床
４０  前看板取付けプレート
４２  後看板取付けプレート
４４  吊上げ用のフック
４５  荷台固定用のフック
Ｋ１  前看板
Ｋ２  横看板
Ｋ３  後看板
【図１】
2017148722.tif 000003
【図２】
2017148722.tif 000004
【図３】
2017148722.tif 000005
【図４】
2017148722.tif 000006
【図５】
2017148722.tif 000007
【図６】
2017148722.tif 000008
【図７】
2017148722.tif 000009
【図８】
2017148722.tif 000010
【図９】
2017148722.tif 000011
【図１０】
2017148722.tif 000012
【図１１】
2017148722.tif 000013
【図１２】
2017148722.tif 000014
【図１３】
2017148722.tif 000015
【図１４】
2017148722.tif 000016
【図１５】
2017148722.tif 000017